(57)【特許請求の範囲】
【請求項１】
基地局と複数の移動局を備え、基地局と各移動局の間のデータ伝送に必要な同期タイミングを、前記基地局の同期タイミングに依存する方式のデータ伝送方法において、
前記各移動局が、
自局のチャネルのデータを送信中、当該データの送信時間が基地局追従可能時間として規定されている所定値を越える毎に当該データの送信を中止し、受信動作に切換えて前記基地局と同期タイミングを取った後、前記中止されたデータ部分から当該データの送信を再開させるように構成されていることを特徴とするデータ伝送方法。
【請求項２】
基地局と複数の移動局を備え、基地局と各移動局の間のデータ伝送に必要な同期タイミングを、前記基地局の同期タイミングに依存する方式のデータ伝送方法において、
前記各移動局が、
自局のチャネルのデータを送信中、当該データの送信時間が基地局追従可能時間として規定されている所定値を越える毎に当該データの送信を中止し、受信動作に切換えて前記基地局と同期タイミングを取った後、前記中止されたデータ部分から当該データの送信を再開させ、
前記基地局は、
所定のデータを監視することでデータ伝送の継続と終了を識別し、該データの識別によりデータ伝送が継続中であることを判定すると予め定められた信号を出力するように構成されていることを特徴とするデータ伝送方法。
【発明の詳細な説明】
【０００１】
【発明の属する技術分野】
本発明は、ディジタル無線通信システムにおけるデータ伝送方法に係り、特にＳＣＰＣによる無線通信システムに好適なデータ伝送方法に関する。
【０００２】
【従来の技術】
ディジタル無線通信方式の一種にＳＣＰＣ(Single Channel Per Carrier)と呼ばれる単信通信方式があり、近年、基地局と複数の移動局の間のデータ通信に適用されるようになっているが、このＳＣＰＣによるデータ伝送方法では、基地局の送信電波(f)と移動局の送信電波(F)に夫々異なった周波数のキャリアが使用されている。
【０００３】
そして、各伝送フレームのフレーム同期タイミングは、基地局の同期タイミングが基準同期タイミングとなり、各移動局では、この基準の同期タイミングに追従して同期タイミングを設定し、動作するようになっている。
【０００４】
そこで、このＳＣＰＣによるデータ伝送方法が適用された通信システムの一例について、図２により説明すること、このシステムは、移動局のデータ端末１０１と基地局のデータ端末１１５の間でデータの伝送が得られるようにしたシステムで、ここには図示されていないが、外にもいくつかの移動局があるシステムになっている。
【０００５】
そして、この図２において、１０４は移動局の変復調処理部、１０５は移動局変復調信号入出力端子、１０８は移動局同期処理部、１０９は移動局タイミング生成部、１１０はＶＣＴＣＸＯ(Voltage Controlled Temperature Compensated Crystal Oscillator：電圧制御温度補償水晶発振器)、１１１は基地局変復調信号入出力端子、１１２は基地局変復調処理部、１１６は基地局同期処理部、１１７は基地局タイミング生成部、１１８はＯＣＸＯ(Oven Controlled CrystalOscillator：恒温槽付水晶発振器)、２０１は移動局データ送受制御部、２０２は移動局チャネルコーデック部、２０３は基地局チヤネルコーデック部、それに２０４は基地局データ送受制御部である。
【０００６】
次に、この図２のデータ伝送方法の動作について説明すると、まず基地局は、常時、第１の周波数のキャリアによる電波を送信している。そして、複数の移動局は、いわゆるプレス・ツー・トーク方式により送受信の切換を行い、自局から送信する場合を除き、常時、基地局の電波を受信し、自局宛てのデータを受信している状態、いわゆるモニタ状態を保つ。
【０００７】
そして、各移動局は、基地局から受信した信号により、基地局のフレームタイミング及びシンボルタイミングに同期し、送信時は、直前での同期タイミングをＶＣＴＣＸＯｌｌ０の周波数安定度に依存して保持するようになっている。
【０００８】
ここで、いま、或る移動局で送信動作に切換わったとする。そうすると、当該移動局データ送受制御部２０１は、移動局同期処理部１０８から入力されている同期情報を参照し、同期状態にあるときは、データ端末１０１にデータ送出を許可する。
【０００９】
そして、この状態でデータ端末１０１から伝送データが受信されたとすると、移動局データ送受制御部２０１は、移動局チャネルコーデック部２０２、移動局変復調処理部１０４及び移動局同期処理部１０８に対し、送信処理指示を出力する。
【００１０】
移動局同期処理部１０８は、送信処理指示を受けると、基地局から受信した信号による同期処理を中止し(単信通信方式なので受信は不可能)、移動局タイミング生成部１０９のフレーム及びシンボルタイミングの補正処理を中止させる。この結果、移動局タイミング生成部１０９は、ＶＣＴＣＸＯｌｌ０による周波数信号だけからタイミングを生成し、送信動作することになる。
【００１１】
一方、移動局チャネルコーデック部２０２は、送信処理指示を受けたことにより、移動局タイミング生成部１０９から与えられるタイミング情報に従って、図３に示す同期バーストを規定回数(例えば３回)生成し、移動局変復調処理部１０４に出力する。
【００１２】
そして、同期バースト出力後、移動局チャネルコーデック部２０２は、移動局タイミング生成部１０９からのタイミング情報に従って伝送データをエンコード処理し、図４に示す通信チャネル構成のＴＣＨ部データをエンコード後の伝送データとし、移動局変復調処理部１０４に出力する。
【００１３】
このときのエンコード処理は、ＡＲＩＢ ＳＴＤ−Ｔ６１規格のＦＡＣＣＨ処理に準拠し、１ブロックのデータを２フレームに分けて送信するものとし、このため、データの先頭と終端にはダミーの信号が半分づつ挿入される。
【００１４】
ここで、ＴＣＨ部が伝送データになっていた場合は、無線情報チャネル中の通信モード情報にＦＡＣＣＨを表わす情報を格納する。但し、伝送データの終端を伝送するフレームには、ＳＢ／ＴＣＨを表わす情報を格納する。
【００１５】
移動局変復調処理部１０４は、移動局タイミング生成部１０９から与えられるタイミング情報に従って変調処理を行い、得られた変調信号は移動局変復調信号入出力端子１０５から出力され、伝送送周波数に変換され、図示してないアンテナから電波として送信される。
【００１６】
データ端末１０１から供給されていた伝送データが終了すると、移動局データ送受制御部２０１は移動局チャネルコーデック部２０２と移動局変復調処理部１０４に送信終了を指示する。
【００１７】
移動局チャネルコーデック部２０２は、送信終了指示を受けると、図４の通信チャネル構成のＴＣＨ部に、情報としては意味が無い信号を空線信号としてエンコードし、規定回数(この例では３回)だけ移動局変復調処理部１０４に出力した後、受信動作に移行する。
【００１８】
また、移動局変復調処理部１０４は、移動局チャネルコーデック部２０２から供給される空線信号を変調処理し、移動局変復調信号入出力端子１０５を介して送信した後、受信動作に移行し、基地局からの送信信号に対して同期処理を開始する。
【００１９】
従って、このときの送信フレームの構成は、図５に示すようになるが、このとき、図の(a)は音声の場合を示し、同図(b)はデータ、例えば画像データなどの場合を示している。
【００２０】
次に、基地局の動作について説明する。
【００２１】
移動局から送信された信号が基地局のアンテナで受信されると、図示してない受信信号処理部により振幅調整処理と帯域制限処理され、検波処理された信号が基地局変復調信号入出力端子１１１から入力され、基地局変復調処理部１１２に供給される。
【００２２】
一方、基地局タイミング生成部１１７は、ＯＣＸＯｌ１８から供給される周波数信号を基準とし、これからタイミング情報を生成し、基地局変復調処理部１１２及び基地局チャネルコーデック部２０３に出力する。
【００２３】
そこで、基地局変復調処理部１１２は、タイミング情報及びタイミングのズレレ情報に従って入力信号の復調処理を行い、復調信号を基地局同期処理部１１６及び基地局チャネルコーデック部２０３に出力する。
【００２４】
そして、まず、基地局同期処理部１１６では、入力信号から同期ワードを検出し、基地局タイミングと受信信号のタイミングのズレ情報を求め、基地局同期処理部１１６及び基地局チャネルコーデック部２０３に供給する。
【００２５】
また、基地局チャネルコーデック部２０３では、入力信号の通信モード情報が検証され、ＦＡＣＣＨモードであると判定されたら、ＴＣＨデータとしてデコード処理を行う。
【００２６】
この結果、基地局データ送受制御部２０４には、基地局チャネルコーデック部２０３でデコードされた伝送データが入力される。
【００２７】
そして、基地局データ送受制御部２０４は、伝送データか入力されると、データ端末１１５に対して受信要求を行い、伝送データの出力を開始し、以降、基地局チャネルコーデック部２０３で通信モード情報がＳＢ／ＴＣＨとなるまで処理を繰り返し、ＳＢ／ＴＣＨが検出された時点で、データ端末１１５によるデータの受信を終了させる。
【００２８】
このとき、基地局からの通信チャネルの送信は常時行なわれており、移動局から信号を受信している間も、送信動作を継続している。
【００２９】
【発明が解決しようとする課題】
上記従来技術は、移動局が送信動作中における基地局との同期について配慮がされておらず、１回のデータ伝送量に制限が与えられてしまうという問題があった。
【００３０】
移動局から送信を行う場合、当該移動局は、基地局フレーム及びシンボルタイミングに追従できないので、時間経過と共にタイミングにズレが生じる。
【００３１】
なお、基地局から移動局に送信するは、移動局のタイミングが基地局から受信したタイミングに常に追従できるため、このズレは発生しない。
【００３２】
ここで、このタイミングのズレが或る程度以上に大きくなると、基地局では、移動局から受信したデータが復調できなくなってしまう。そして、このときの復調可能範囲を基地局追従範囲という。
【００３３】
この移動局から送信中でのタイミングのズレは、基地局のＯＣＸＯの周波数安定度と移動局側のＶＣＴＣＸＯの周波数安定度の差、移動局の送信タイミング精度、基地局のシンボルずれ許容時間及び伝搬距離に依存する。
【００３４】
ここで、いま、例えば、以下の伝送条件にあるとする。
【００３５】
＜伝送条件＞
移動局伝送速度精度  ⇒  ＋０.５ｐｐｍ(規格±０.９ｐｐｍ)
移動局送信タイミング精度  ⇒  ＋１シンボル(規格０〜＋１シンボル)
基地からの移動局距離  ⇒  ３０ｋｍ
伝送レート  ⇒  ４８００ｂｐｓ
データ伝送レート(ＦＡＣＣＨ)  ⇒  ２４００ｂｐｓ
基地局追従範囲  ⇒  −１〜＋３シンボル
そうすると、この場合、伝搬距離による遅延は、３０ｋｍ×２／(２.９９９×１０8ｍ／ｓ)≒２００μｓ＝＋０.９６シンボルになるが、送信タイミング精度が＋１シンボルあるので、この場合は、基地局の追従範囲に対して３−(０.９６＋１)＝＋1.０４シンボル分の追従余裕があり、従って、同期が外れるまでの時間は、最低の場合でも１.０４／４８００／０.６ｐｐｍ≒４３３秒となる。
【００３６】
ところで、音声通話の場合、接続時間がこの程度でも十分であると言えるが、データ伝送の場合、データ伝送量は２４００ｂｐｓ×４４３ｓｅｃ＝１.０６３２Ｍｂｉｔ(約１３３ｋＢｙｔｅ)となり、ディジタルカメラの画像のような数ＭＢｙｔｅ単位のファイルの場合は、タイミングズレのため、転送が困難になってしまう。
【００３７】
従って、従来技術では、上記したように、１回のデータ伝送量に制限が与えられてしまうという問題が生じてしまうのであり、しかも移動局は位置が変わり、ＶＣＴＣＸＯも温度条件によっては精度低下が抑えられないので、同期外れまでの時間、ひいては最大データ伝送量が確定できなくなるという問題も生じてしまうことになる。
【００３８】
本発明の目的は、画像データなど大容量データの伝送にも容易に対応できるようにしたデータ伝送方法を提供することにある。
【００３９】
【課題を解決するための手段】
上記目的は、基地局と複数の移動局を備え、基地局と各移動局の間のデータ伝送に必要な同期タイミングを、前記基地局の同期タイミングに依存する方式のデータ伝送方法において、前記各移動局が、自局のチャネルのデータを送信中、当該データの送信時間が基地局追従可能時間として規定されている所定値を越える毎に当該データの送信を中止し、受信動作に切換えて前記基地局と同期タイミングを取った後、前記中止されたデータ部分から当該データの送信を再開させるようにして達成される。
【００４０】
上記目的は、基地局と複数の移動局を備え、基地局と各移動局の間のデータ伝送に必要な同期タイミングを、前記基地局の同期タイミングに依存する方式のデータ伝送方法において、前記各移動局が、自局のチャネルのデータを送信中、当該データの送信時間が基地局追従可能時間として規定されている所定値を越える毎に当該データの送信を中止し、受信動作に切換えて前記基地局と同期タイミングを取った後、前記中止されたデータ部分から当該データの送信を再開させ、前記基地局は、所定のデータを監視することでデータ伝送の継続と終了を識別し、該データの識別によりデータ伝送が継続中であることを判定すると予め定められた信号を出力するようにしても達成される。
【００４１】
ここで、本発明は、データ伝送に際して、データに途切れが生じた場合ても、その前後でデータの整合性が取れていれば、データが復号可能である点に着目してなされたものである。
【００４２】
このため、本発明では、まず、移動局の同期タイミングズレが時間の経過により増加した場合でも、基地局では同期外れが生じないで追従が可能な時間を想定し、これを基地局追従可能時間として設定する。
【００４３】
そして、データの伝送時間が、この基地局追従可能時間を越えたときは、データの伝送を一旦終了させて基地局と同期を取り直し、この後、再度、中断した部分からデータ伝送を行うという処理を繰り返すようにしたものである。
【００４４】
この結果、本発明によれば、最大データ伝送量に上限が与えられてしまう虞れが無くなるので、大容量のデータでも確実に伝送することができ、従って、画像データの伝送にも容易に対応することができる。
【００４５】
このとき、本発明の或る実施形態では、無線情報チャネル中の通信モード情報が、デ−タ伝送の途中なら“ＦＡＣＣＨ⇒空線”になり、終了時には“ＦＡＣＣＨ→ＳＢ／ＴＣＨ”という遷移が必ず現われることを利用し、データ伝送の継続と終了を基地局側で識別するようにしてある。
【００４６】
また、同じく本発明の或る実施形態では、或る移動局によるデータ伝送の途中で、他のデータ伝送途中以外の移動局による送信を禁止する方法として、以下の方法を採用した。
【００４７】
すなわち、基地局では“ＦＡＣＣＨ⇒空線”を検出し、これよりデータ伝送中であると判定されたとき、常時送信している空線信号をＢＵＳＹ信号(無線情報チャネル内の通信モード情報をＢＵＳＹにした信号)を出力する。
【００４８】
また、移動局では、通常、ＢＵＳＹ信号を受信したら送信は禁止するが、データ伝送途中の移動局は、自局がデータ伝送途中であることを認識した場合には、ＢＵＳＹ信号が受信されたときでも送信を許可するのである。
【００４９】
これにより、他の移動局では送信を禁止させながら当該移動局ではデータの伝送を継続させる制御が、余分なデータの伝送を要することなく、容易に得ることができる。
【００５０】
【発明の実施の形態】
以下、本発明によるデータ伝送方法について、図示の一実施の形態により詳細に説明する。ここで、この図１は、本発明によるデータ伝送方法の一実施形態が適用された通信システムの一例を示す機能ブロック図である。
【００５１】
この図１において、１０２は移動局データ送受制御部、１０３は移動局チャネルコーデック部、１０６はデータ判定部、１０７は伝送制御カウンタ、１１３は基地局チャネルコーデッタ部、１１４は基地局データ送受制御部、１１９は受信データ判定部、そして１２０は同期保護タイマであり、その他の構成は、図２で説明した従来技術と同じである。
【００５２】
次に、この実施形態の動作について、まず移動局から基地局にデータを送信する場合について説明する。なお、このときも、移動局は、直前までは基地局から送信信号を受信していて、これにより基地局のフレーム及びシンボルタイミングに同期しているものとする。
【００５３】
ここで、いま、或る移動局で送信動作に切換わったとする。そうすると、移動局データ送受制御部１０２は、移動局同期処理部１０８の同期情報を参照し、同期状態にあることを条件として、データ端末１０１にデータ送信を許可する。
【００５４】
そして、この状態でデータ端末１０１から伝送データが受信されたとき、移動局データ送受制御部１０２は、移動局チャネルコーデック部１０３と移動局変復調処理部１０４及び移動局同期処理部１０８に送信処理指示を出力する。
【００５５】
移動局同期処理部１０８は、送信処理指示を受けると、基地局から受信した信号による同期処理を中止し(単信通信方式なので受信は不可能)、移動局タイミング生成部１０９のフレーム及びシンボルタイミング補正処理を中止させする。
【００５６】
この結果、移動局タイミング生成部１０９は、ＶＣＴＣＸＯｌｌ０の周波数信号だけからタイミングを生成し、送信動作を行うこととなる。
【００５７】
一方、移動局チャネルコーデック部１０３は、信処処理の開始指示を受けたことにより、移動局タイミング生成部１０９から与えられるタイミング情報に従って図３に示す同期バーストを生成し、規定回数(同じく３回)生成し、移動局変復調処理部１０４に出力する。
【００５８】
また、このとき、移動局チャネルコーデック部１０３は、データ判定部１０６に通信モード情報を供給するようになっている。
【００５９】
同期バースト出力後、移動局チャネルコーデック部１０３は、移動局タイミング生成部１０９から供給されるタイミング情報に従って伝送データをエンコード処理し、図４に示す通信チャネル構成のＴＣＩｌ部データをエンコード後の伝送データとして移動局変復調処理部１０４に供給する。
【００６０】
このときのエンコード処理も、ＡＲＩＢ ＳＴＤ−Ｔ６１規格のＦＡＣＣＨ処理に準拠し、１ブロックのデータを２フレームに分けて送信するものとする。そして、同じく、ＴＣＨが伝送データになっていたときは、無線情報チャネル中の通信モード情報にＦＡＣＣＨを表わす情報を格納し、伝送データの終端を伝送するフレームには、ＳＢ／ＴＣＨを表わす情報を格納する。
【００６１】
移動局変復調処理部１０４は、移動局タイミング生成部１０９から与えられるタイミング情報に従って変調処理を行い、得られた変調信号は移動局変復調信号入出力端子１０５から出力され、伝送周波数に変換後、送信される。
【００６２】
このとき、データ判定部１０６は、移動局チャネルコーデック部１０３から入力された通信モード情報を監視し、“ＳＢ／ＴＣＨ”から“ＦＡＣＣＨ”になる遷移が通信モード情報から検出されたら、伝送制御カウンタ１０７に対して、処理開始の指示を出力する。
【００６３】
そこで、伝送制御カウンタ１０７はタイミング生成部１０９からのタイミング情報のカウント処理を開始し、予め設定してある規定カウント値になったら、移動局データ送受制御部１０２に、カウント値が規定値になったことを通知し、通知した後、カウンタ値をリセットして０に戻し、カウント処理を終了する。
【００６４】
ここで、この伝送制御カウンタ１０７に設定してある規定カウント値とは、移動局の同期タイミングズレが時間の経過により増加した場合でも、基地局では同期外れが生じないで追従が可能な時間を想定し、これを基地局追従可能時間とした上で、これに対応した時間を表わすカウント値のことである。
【００６５】
こうして、伝送制御カウンタ１０７からの通知が移動局データ送受制御部１０２に入力されると、移動局データ送受制御部１０２は、まずデータ伝送途中であることを記憶した後、データ端末１０１に対してデータ送信を不許可とする制御を行い、更に移動局チャネルコーデック部１０３と移動局変復調処理部１０４及び移動局同期処理部１０８に送信終了指示を出力する。
【００６６】
ここで、まず、移動局チャネルコーデック部１０３は、送信終了指示を受けると、図４の通信チャネル構成のＴＣＨ部に、情報として意味が無い信号をエンコードして空線情報とし、同じく規定回数、移動局変復調処理部１０４に出力した後、受信動作に移行する。
【００６７】
次に、移動局変復調処理部１０４は、移動局チャネルコーデック部１０３からの空線信号を変調処理し、移動局復調信号入出力端子１０５を介して送出させた後、同じく受信動作に移行する。
【００６８】
受信動作時には、基地局から送信された信号を、図示してない部分で振幅調整及び帯域制限処理行い、更に検波処理し、処理した信号は移動局変復調信号入出力端子１０５を介して移動局変復調処理部１０４に入力される。
【００６９】
そこで、移動局変復調処理部１０４は、タイミング生成部１０９からのタイミング情報に従って復調処理を行い、移動局同期処理部１０８及び移動局チャネルコーデック部１０３に出力する。
【００７０】
そして、まず移動局同期処理部１０８は、入力信号から同期ワードを検出し、現在のタイミングと受信信号のタイミングズレを求め、移動局タイミング生成部１０９に出力する。
【００７１】
また、移動局チャネルコーデック部１０３では、移動局タイミング生成部１０９からのタイミング情報に従って入力信号のデコード処理を行ない、通信チャネル中の通信モード情報をデータ判定部１０６に出力する。そこで、データ判定部１０６では、入力された通信モード情報を検証し、ＢＵＳＹなら、移動局データ送受制御部１０２にＢＵＳＹ受信情報を出力する。
【００７２】
一方、移動局タイミング生成部１０９では、ＶＣＴＣＸＯｌｌ０の発振周波数信号から生成されるタイミングを、移動局同期処理部１０８から入力されたズレ量に基づいて補正し、正しいタイミングにして移動局チャネルコーデック部１０３と移動局変復調処理部１０４及び伝送制御カウンタ１０７に出力する。
【００７３】
移動局データ送受制御部１０２は、データ端末１０１から入力されたデータの状態を検証し、いまの状態がデータ伝送途中であり、データ判定部１０６からの入力情報がＢＵＳＹになっているならばデータ送信処理を再開する。
【００７４】
また、データ判定部１０６からの入力情報が空線であるならば、データ伝送途中状態をクリアし、データ伝送開始前の状態に戻る。そして、以後、データ端末１０１からの伝送データが終了するまで上記処理を繰り返すのである。
【００７５】
こうして、データ端末１０１から入力された伝送データが終了すると、移動局データ送受制御部１０２は、移動局チャネルコーデック部１０３及び移動局変復調処理部１０４に送信終了を指示し、このときのデータ伝送終了を記憶する。
【００７６】
ここで、移動局チャネルコーデック部１０３が送信終了指示を受けると、図４に示した通信チャネル構成のＴＣＨ部に、情報として意味が無い信号からなる空き線信号をエンコードし、同じく３回の規定回数、移動局変復調処理部１０４に出力した後、受信動作に移行する。
【００７７】
そこで、移動局復調処理部１０４は、移動局チャネルコーデック部１０３からの空線信号を変調処理し、移動局変復調信号入出力端子１０５を介して送出した後、受信動作に移行し、基地局からの送信信号に対する同期処理を開始する。
【００７８】
従って、このときの送信フレームは、図６に示すフレーム構成になる。なお、ここでは、一連のデータの伝送処理が２回で終了した場合が示されている。
【００７９】
次に、基地局の動作について説明する。
【００８０】
前述のようにして移動局から送信さた信号は、振幅調整と帯域制限処理され、検波処理されて基地局変復調信号入出力端子１１１から基地局変復調処理部１１２に入力される。
【００８１】
一方、基地局タイミング生成部１１７は、ＯＣＸＯｌ１８から出力される周波数信号により、基準となるタイミング情報を生成し、基地局変復調処理部１１２及び基地局チャネルコーデック部１１３に供給し、これにより、基地局変復調処理部１１２は、入力されたタイミング情報に従って入力信号の復調処理を行い、復調された信号を基地局同期処理部１１６と基地局チャネルコーデック部１１３に供給する。
【００８２】
そこで、基地局同期処理部１１６は、入力信号から同期ワードを検出し、基地局タイミングと受信信号のタイミングのズレ情報を求め、基地局同期処理部１１６及び基地局チャネルコーデック部１１３に出力する。
【００８３】
これにより、基地局チャネルコーデック部１１３は、入力信号のデコード処理を行ない、無線情報チャネル中の通信モード情報を検証して、それがＦＡＣＣＨのときは、通信チャネル構成の中のＴＣＨ部はデータであるとして処理を開始する。
【００８４】
こうして基地局チャネルコーデック部１１３でデコードされた伝送データは、基地局データ送受制御部１１４に供給され、他方、通信チャネル中の通信モード情報は通信データ判定部１１９に供給される。
【００８５】
そこで、データ送受制御部１１４では、伝送データが入力されると、データ端末１１５に対して受信要求を行って伝送データの出力を開始させ、受信データ判定部１１９では、入力された通信モード情報が検証される。
【００８６】
そして、これにより、受信データ判定部１１９では、“ＦＡＣＣＨ⇒空線”の遷移が検出されたときは、データ伝送途中であることを記憶し、基地局データ送受信制御部１１４及び同期保護タイマ１２０に対して、データ伝送一時中断情報を出力する。
【００８７】
このようにして、データ伝送一時中断情報が受領されると、基地局データ送受制御部１１４は、基地局チャネルコーデック部１１３と基地局変復調処理部１１２及び基地局同期処理部１６にデータ伝送一時中断指示を出力する。
【００８８】
そして、まず基地局チャネルコーデック部１１３は、このデータ伝送一時中断指示の入力により１フレーム前の復調信号を記憶しデコード処理を終了する。このとき、基地局は、送信処理も行っているが、基地局チャネルコーデック部１１３は、このデータ伝送一時中断指示の受領により、当該通信チャネル中の通信モード情報を“ＢＵＳＹ”に変更して送信されるようにする。
【００８９】
また、基地局同期処理部１１６は、このデータ伝送一時中断指示の入力によりタイミングズレ情報をクリアし、再度、移動局からの受信信号に対して、前述と同様に同期処理を開始する。そして、このとき、同期保護タイマ１２０は、このデータ伝送一時中断指示の受領によりタイマを起動させ、再同期までの許容時間の計測を開始する。
【００９０】
こうして、再同期処理成立後、基地局同期処理部１１６は同期保護タイマ１２０に同期成立情報を出力してタイマをリセットさせ、これにより、基地局チャネルコーデック部１１３は、退避していた復調信号と現時点で受信した信号のデコード処理を再開する。
【００９１】
ここで、同期保護タイマ１２０は、計測した時間が、予め設定してある再同期までの許容時間を越えたとき、データ伝送再開中止指示を出力し、基地局データ送受制御部１１４に供給する。
【００９２】
そこで、基地局データ送受制御部１１４は、このデータ伝送再開中止指示の入力に応じてデータ伝送処理途中状態をクリアさせ、データ伝送開始前の状態に戻る。
【００９３】
そして、これ以降、基地局データ送受制御部１１４は、基地局チャネルコーデック部１１３の通信モード情報がＳＢ／ＴＣＨになるまで処理を繰り返し、通信モード情報がＳＢ／ＴＣＨが検出された時点で、データ端末１１６からのデータ受信を終了させるのである。
【００９４】
従って、この実施形態では、まず、移動局の同期タイミングズレが時間の経過により増加した場合でも、基地局では同期外れが生じないで追従が可能な時間を想定し、これを基地局追従可能時間として設定する。
【００９５】
そして、データの伝送時間が、この基地局追従可能時間を越えたときは、データの伝送を一旦終了させて基地局と同期を取り直し、この後、再度、中断した部分からデータ伝送を行うという処理を繰り返すようになっている。
【００９６】
従って、上記の実施形態によれば、最大データ伝送量に上限が与えられてしまう虞れが無くなるので、大容量のデータでも確実に伝送することができ、この結果、画像データの伝送にも容易に対応することができる。
【００９７】
このとき、上記の実施形態では、無線情報チャネル中の通信モード情報が、デ−タ伝送の途中なら“ＦＡＣＣＨ⇒空線”になり、終了時には“ＦＡＣＣＨ→ＳＢ／ＴＣＨ”という遷移が必ず現われることを利用し、データ伝送の継続と終了を基地局側で識別するようにしてある。
【００９８】
また、同じく上記実施形態では、或る移動局によるデータ伝送の途中で、他のデータ伝送途中以外の移動局による送信を禁止する方法として、以下の方法を採用している。
【００９９】
すなわち、基地局では“ＦＡＣＣＨ⇒空線”を検出し、これよりデータ伝送中であると判定されたとき、常時送信している空線信号をＢＵＳＹ信号(無線情報チャネル内の通信モード情報をＢＵＳＹにした信号)を出力する。
【０１００】
また、移動局では、通常、ＢＵＳＹ信号を受信したら送信は禁止するが、データ伝送途中の移動局は、自局がデータ伝送途中であることを認識した場合には、ＢＵＳＹ信号が受信されたときでも送信を許可するのである。
【０１０１】
従って、この実施形態によれば、他の移動局では送信を禁止させながら当該移動局ではデータの伝送を継続させるための制御が、余分なデータの伝送を要することなく、容易に得ることができる。
【０１０２】
【発明の効果】
本発明によれば、移動局の距離や環境温度などにより最大データ伝送量が決定されてしまう虞れが無いので、大容量データの伝送にも容易に対応することができる。
【図面の簡単な説明】
【図１】本発明によるデータ伝送方法の一実施形態が適用された無線通信システムのブロック図である。
【図２】従来技術による無線通信システムのブロック図である。
【図３】同期バーストの一構成例を示す説明図である。
【図４】通信チャネルの一構成例を示す説明図である。
【図５】従来技術によるデータ伝送時のフレーム形式と通信モード情報の一例を示す説明図である。
【図６】本発明の一実施形態によるデータ伝送時のフレーム形式と通信モード情報を示す説明図である。
【符号の説明】
１０１、１１６  データ端末
１０２  移動局データ送受制御部
１０３  車動局チャネルコーデック部
１０４  移動局変復調処理部
１０５  移動局変復調信号人出力端子
１０６  データ判定部
１０７  伝送制御カウンタ
１０８  移動局同期処理部
１０９  移動局タイミング生成部
１１０  ＶＣＴＣＸＯ(電圧制御温度補償水晶発振器)
１１１  基地局変復調信号入出力端子
１１２  基地局変復調処理部
１１３  基地局チャネルコーデック部
１１４  基地局データ送受制御部
１１６  基地局同期処理部
１１７  基地局タイミング生成部
１１８  ＯＣＸＯ(恒温槽付水晶発振器)
１１９  受信データ判定部
１２０  同期保護タイマ
【図１】
0003874639.tif 000002
【図２】
0003874639.tif 000003
【図３】
0003874639.tif 000004
【図４】
0003874639.tif 000005
【図５】
0003874639.tif 000006
【図６】
0003874639.tif 000007